(57)【要約】【課題】  十分な防水性を有するとともに容易にメンテナンスすることができる水切り構造１を提供する。【解決手段】  水切り構造１は、建物の躯体に上下方向に配置された外壁パネル２間の横目地２ｃにおける水切り構造１であって、梁４に固定される取付部材５と、一端側が取付部材５に着脱自在に固定されるとともに上側外壁パネル２ａの屋内側面に水密的に当接する弾性体で形成された止水ヘラ１６を有し、他端側が外壁パネル２の屋外側に突出してその先端に係止爪６を具備する支持部材７と、横目地２ｃに沿って形成され、上側外壁パネル２ａの屋内側面に水密的に当接する弾性体で形成された水切りヘラ１８を有するとともに、外壁パネル２の屋外に突出して係止爪６に係止される被係止爪８を有する水切部材９と、上側外壁パネル２ａと、水切部材９との間隙に屋外側から押し込まれる弾性止水材１０と、を備える。【選択図】図１
2010019006.tif 000002
【特許請求の範囲】
【請求項１】
建物躯体に上下方向に配置された外壁パネル間の横目地における水切り構造であって、
一端側が前記建物躯体に固定されるとともに、他端が前記横目地の屋内側に配置される取付部材と、
屋内側端部が該取付部材に着脱自在に固定される固定片を形成するとともに、該固定片の上端にはその上方が前記外壁パネルに水密的に当接する弾性体で形成された止水ヘラが固定され、前記固定片から延びる支持腕部が前記外壁パネル間の横目地を通って屋外側に突出し、該支持腕部の先端に係止部が形成された支持部材と、
前記固定片に形成された保持部に一端側に形成された被保持部が保持されるとともに、前記外壁パネル間の横目地を通って屋外側に突出した他端に前記係止部に係合する被係止部が形成され、前記被保持部の手前側に上側の前記外壁パネルに水密的に当接する弾性体で形成された水切りヘラが固定された水切部材と、
上側の前記外壁パネルの下面と、前記水切部材との間隙に設けられてこれらの上側の外壁パネルの下面と前記水切部材の間を密封する弾性止水材と、を備え、
前記支持腕部は、その下側に当該支持腕部と下側の前記外壁パネルの上面との間隙を埋める下部水密材を具備するとともに、その上側には屋内外方向を向けて少なくとも前記支持腕部の中間部及び両側部を含む複数箇所に所定の流水間隔を開けて貼着される複数の水密支持材を具備し、
前記水切部材は、前記外壁パネルの横目地に沿って、その端部を相互に突合わせて横方向に複数並設されるものであって、
少なくとも前記水切部材の突合わせる端部の下方には、前記支持腕部の中間部に貼着される前記水密支持材が配置されることを特徴とする水切り構造。
【請求項２】
建物躯体に上下方向に配置された外壁パネル間の横目地における水切り構造であって、
屋内側端部に固定片を形成するとともに、該固定片の上端にはその上方が前記外壁パネルに水密的に当接する弾性体で形成された止水ヘラが固定され、前記固定片から延びる支持腕部が前記外壁パネル間の横目地を通って屋外側に突出し、当該屋外側で下方に折曲する折曲片を形成し、該折曲片が下側の前記外壁パネルに着脱自在に固定されるとともに、該支持腕部の先端に係止部が形成された支持部材と、
前記固定片に形成された保持部に一端側に形成された被保持部が保持されるとともに、前記外壁パネル間の横目地を通って屋外側に突出した他端に前記係止部に係合する被係止部が形成され、前記被保持部の手前側に上側の前記外壁パネルに水密的に当接する弾性体で形成された水切りヘラが固定された水切部材と、
上側の前記外壁パネルの下面と、前記水切部材との間隙に設けられてこれらの上側の外壁パネルの下面と前記水切部材の間を密封する弾性止水材と、を備え、
前記支持腕部は、その下側に当該支持腕部と下側の前記外壁パネルの上面との間隙を埋める下部水密材を具備するとともに、その上側には屋内外方向を向けて少なくとも前記支持腕部の中間部及び両側部を含む複数箇所に所定の流水間隔を開けて貼着される複数の水密支持材を具備し、
前記水切部材は、前記外壁パネルの横目地に沿って、その端部を相互に突合わせて横方向に複数並設されるものであって、
少なくとも前記水切部材の突合わせる端部の下方には、前記支持腕部の中間部に貼着される前記水密支持材が配置されることを特徴とする水切り構造。
【請求項３】
前記弾性止水材は、上側の前記外壁パネルの下面に水密的に当接する上部と、前記水切部材に水密的に当接する下部と、を含み、
少なくとも上部が管状であることを特徴とする請求項１又は請求項２に記載の水切り構造。
【請求項４】
前記水切部材は、前記弾性止水材の裏面に形成されている嵌合溝に嵌合する突出片を具備することを特徴とする請求項１から請求項３のいずれかに記載の水切り構造。
【請求項５】
前記支持部材の固定片と前記止水ヘラの基端とは、着脱自在に嵌合されることを特徴とする請求項１から請求項４のいずれかに記載の水切り構造。
【請求項６】
前記水切部材の屋内側の端部と前記水切りヘラの基端とは、着脱自在に嵌合されることを特徴とする請求項１から請求項５のいずれかに記載の水切り構造。
【請求項７】
請求項１から請求項６のいずれかに記載の水切り構造のメンテナンス方法であって、
前記弾性止水材を上側の前記外壁パネルと前記水切部材との間隙から屋外方向に引き剥がし、次に、前記被係止部の前記係止部との係合を解除して前記被保持部を前記保持部から引き離しつつ前記水切部材を屋外方向に引き出し、更に、前記固定片の前記取付部材との固定を屋外側から前記横目地を通って挿入された工具により解除して、前記支持部材を前記支持腕部の上面に貼着された前記水密支持材とともに屋外方向に引き出し、
前記弾性止水材を交換するとともに、前記水切り部材及び前記支持部材を交換又は補修して、
前記支持部材をその上面に貼着された前記水密支持材とともに前記外壁パネルの横目地に屋外側から挿入して、前記固定片と前記取付部材とを固定し、次いで、前記水切部材を前記外壁パネルの横目地に屋外側から挿入して、前記保持部に前記被保持部を保持させつつ前記被係止部を前記係止部に係合させ、更に、交換した新たな弾性止水材を上側の前記外壁パネルの下面と前記水切部材との間隙に屋外側から押し込むことを特徴とする水切り構造のメンテナンス方法。
【発明の詳細な説明】
【技術分野】
【０００１】
この発明は、住宅等の建物の上下に配置された外壁パネル間の横目地への風雨の侵入を防止する水切り構造及びこの水切り構造のメンテナンス方法に関する。
【背景技術】
【０００２】
住宅等の建物において、外部に露出する外壁パネル間の目地には建物内への風雨の侵入を防ぐため、種々の水切り構造が用いられている。特に、上下の外壁パネル間の横目地に用いられる水切り構造としては、例えば、図１３に示すように、上側外壁パネル１０１の屋内側の面に当接する立上がり片１０２が設けられ、下側外壁パネル１０３の上端面に載置される水切板１０４と、この水切板１０４の中間部分に形成された係止突部１０５に係止されて、その中間に上側外壁パネル１０１の下面に接する止水片１０６を設け、外壁の屋外側に斜め下方に向けて突出するガスケット１０７と、水切り片１０４の屋外側の端部に当接するようにして、横目地を覆うように形成された化粧水切り１０８と、を備えた水切り構造１００が挙げられる（例えば特許文献１）。
【０００３】
このように構成すると、化粧水切り１０８、立上がり片１０２、及び止水片１０６等の複数箇所で風雨の侵入を阻止しているので、この外壁の横目地部分の防水性を高めることができる。
【特許文献１】特開２０００−１９２５６３号公報
【発明の開示】
【発明が解決しようとする課題】
【０００４】
ところで、近年の住宅においては、地球環境に対する関心の高まりから超長期にわたって循環利用できる質の高い住宅が求められている。そのため長期的に維持管理が容易な住宅が求められており、その構成部材においてもメンテナンスが容易であることが望ましい。
【０００５】
上述の水切り構造１００は、防水性を高めることはできるものの、水切り板１０４には立上がり片１０２が設けられており、この立上がり片１０２が引っ掛かって上側外壁パネル１０１を住宅に取付けたままでは、水きり板１０４を取り外すことは困難であり、水切り板１０４が劣化した場合のメンテナンス性が劣る。
【０００６】
そこで、本発明は、十分な防水性を有するとともに容易にメンテナンスすることができる水切り構造及びこの水切り構造のメンテナンス方法を提供することを目的とする。
【課題を解決するための手段】
【０００７】
請求項１に記載の水切り構造は、建物躯体に上下方向に配置された外壁パネル間の横目地における水切り構造であって、一端側が前記建物躯体に固定されるとともに、他端が前記横目地の屋内側に配置される取付部材と、屋内側端部が該取付部材に着脱自在に固定される固定片を形成するとともに、該固定片の上端にはその上方が前記外壁パネルに水密的に当接する弾性体で形成された止水ヘラが固定され、前記固定片から延びる支持腕部が前記外壁パネル間の横目地を通って屋外側に突出し、該支持腕部の先端に係止部が形成された支持部材と、前記固定片に形成された保持部に一端側に形成された被保持部が保持されるとともに、前記外壁パネル間の横目地を通って屋外側に突出した他端に前記係止部に係合する被係止部が形成され、前記被保持部の手前側に上側の前記外壁パネルに水密的に当接する弾性体で形成された水切りヘラが固定された水切部材と、上側の前記外壁パネルの下面と、前記水切部材との間隙に設けられてこれらの上側の外壁パネルの下面と前記水切部材の間を密封する弾性止水材と、を備え、前記支持腕部は、その下側に当該支持腕部と下側の前記外壁パネルの上面との間隙を埋める下部水密材を具備するとともに、その上側には屋内外方向を向けて少なくとも前記支持腕部の中間部及び両側部を含む複数箇所に所定の流水間隔を開けて貼着される複数の水密支持材を具備し、前記水切部材は、前記外壁パネルの横目地に沿って、その端部を相互に突合わせて横方向に複数並設されるものであって、少なくとも前記水切部材の突合わせる端部の下方には、前記支持腕部の中間部に貼着される前記水密支持材が配置されることを特徴としている。
【０００８】
請求項２に記載の水切り構造は、建物躯体に上下方向に配置された外壁パネル間の横目地における水切り構造であって、屋内側端部に固定片を形成するとともに、該固定片の上端にはその上方が前記外壁パネルに水密的に当接する弾性体で形成された止水ヘラが固定され、前記固定片から延びる支持腕部が前記外壁パネル間の横目地を通って屋外側に突出し、当該屋外側で下方に折曲する折曲片を形成し、該折曲片が下側の前記外壁パネルに着脱自在に固定されるとともに、該支持腕部の先端に係止部が形成された支持部材と、前記固定片に形成された保持部に一端側に形成された被保持部が保持されるとともに、前記外壁パネル間の横目地を通って屋外側に突出した他端に前記係止部に係合する被係止部が形成され、前記被保持部の手前側に上側の前記外壁パネルに水密的に当接する弾性体で形成された水切りヘラが固定された水切部材と、上側の前記外壁パネルの下面と、前記水切部材との間隙に設けられてこれらの上側の外壁パネルの下面と前記水切部材の間を密封する弾性止水材と、を備え、前記支持腕部は、その下側に当該支持腕部と下側の前記外壁パネルの上面との間隙を埋める下部水密材を具備するとともに、その上側には屋内外方向を向けて少なくとも前記支持腕部の中間部及び両側部を含む複数箇所に所定の流水間隔を開けて貼着される複数の水密支持材を具備し、前記水切部材は、前記外壁パネルの横目地に沿って、その端部を相互に突合わせて横方向に複数並設されるものであって、少なくとも前記水切部材の突合わせる端部の下方には、前記支持腕部の中間部に貼着される前記水密支持材が配置されることを特徴としている。
【０００９】
請求項３に記載の水切り構造は、前記弾性止水材は、上側の前記外壁パネルの下側面に水密的に当接する上部と、前記水切部材に水密的に当接する下部と、を含み、少なくとも上部が管状であることを特徴としている。
【００１０】
請求項４に記載の水切り構造は、前記水切部材は、前記弾性止水材の裏面に形成されている嵌合溝に嵌合する突出片を具備することを特徴としている。
【００１１】
請求項５に記載の水切り構造は、前記支持部材の固定片と前記止水ヘラの基端とは、着脱自在に嵌合されることを特徴としている。
【００１２】
請求項６に記載の水切り構造は、前記水切部材の屋内側の端部と前記水切りヘラの基端とは、着脱自在に嵌合されることを特徴としている。
【００１３】
請求項７に記載の水切り構造のメンテナンス方法は、請求項１から請求項５のいずれかに記載の水切り構造のメンテナンス方法であって、前記弾性止水材を上側の前記外壁パネルと前記水切腕部との間隙から屋外方向に引き剥がし、次に、前記被係止部の前記係止部との係合を解除して前記被保持部を前記保持部から引き離しつつ前記水切部材を屋外方向に引き出し、更に、前記固定片の前記取付部材との固定を屋外側から前記横目地を通って挿入された工具により解除して、前記支持部材を前記支持腕部の上面に貼着された前記水密支持材とともに屋外方向に引き出し、前記弾性止水材を交換するとともに、前記水切り部材及び前記支持部材を交換又は補修して、前記支持部材をその上面に貼着された前記水密支持材とともに前記外壁パネルの横目地に屋外側から挿入して、前記固定片と前記取付部材とを固定し、次いで、前記水切部材を前記外壁パネルの横目地に屋外側から挿入して、前記保持部に前記被保持部を保持させつつ前記被係止部を前記係止部に係合させ、更に、交換した新たな弾性止水材を上側の前記外壁パネルの下端と前記水切腕部との間隙に屋外側から押し込むことを特徴としている。
【発明の効果】
【００１４】
請求項１に記載の水切り構造によると、建物躯体に固定される取付部材と、支持部材とは屋外側から着脱自在に固定されており、上側の外壁パネルに当接する止水ヘラ及び水切りヘラは弾性体で形成されているので、この水切り構造を構成する支持部材及び水切部材が経年劣化して、交換が必要となった場合には、まず弾性止水材を屋外側に引き剥がした後、水切部材の被係止爪を支持部材の係止爪から取外して、水切部材を屋外側に引き出して取り外す。上側の外壁の屋内側面に当接している水切りヘラは弾性体で形成されており、水切部材を屋外側に取り外す際には弾性変形するので、上側の外壁に引っ掛かって、水切部材が取り外せないという不具合は生じなく容易に取り外せる。
【００１５】
そして、次に支持部材を取り外す時には、横目地を通じて、屋外側から取付部材と支持部材との固定を解除してから、屋外側に取り外す。上側の外壁の屋内側面に当接している止水ヘラは水切りヘラと同様に弾性体で形成されているので、上側の外壁に引っ掛かかることなしに、容易に取り出せる。
【００１６】
以上のようにして、支持部材及び水切部材を横目地から取り外した後で、新たな劣化していない支持部材を横目地を通して取付部材に固定し、新たな劣化していない水切部材を支持部材に固定し、屋外側から横目地を通じて弾性止水材を水切部材と上側の外壁パネルの下面との間に押し込んで止水を図ることによって、極めて容易にこれらの部材を交換することができる。
【００１７】
このように本発明の水切り構造によると、経年劣化などにより補修や交換が必要となる支持部材、水切部材、及び弾性止水材を極めて簡単に取り外すことができ、また、補修や交換した支持部材、水切部材、及び弾性止水材を極めて簡単に取付けることができる。以上のように、外壁よりも屋内側に設置され風雨に晒されることもないので劣化しにくく殆どメンテナンスの必要性が生じない取付部材を除き、風雨に晒され経年劣化によりメンテナンスの必要性が生じる支持部材、水切部材、及び弾性止水材を極めて簡単にメンテナンスすることができる。
【００１８】
また、請求項１に記載の水切り構造によると、上側の外壁パネル屋内側面に水密的に当接する弾性体で形成された水切りヘラと、上側の外壁パネルと水切部材との間隙に沿って外壁パネルの外側から押し込まれる弾性止水材と、を備えるので、上下の外壁パネルの間の横目地は、これら水切りヘラと弾性止水材とで、２重に防水されており防水性に優れる。特に水切りヘラは、上側の外壁パネルの内側面に水密的に当接するので、例えば外壁パネルの縦目地を通って横目地へ雨水が侵入したような場合にも、建物内に雨水が侵入することを抑制できる。
【００１９】
さらに、請求項１に記載の水切り構造によると、支持腕部の上面に屋内外方向を長手方向として少なくとも支持腕部の中間部及び両側部を含む複数箇所に所定の流水間隔を開けて貼着される複数の水密支持材が設けられており、少なくとも前記水切部材の突合わせる端部の下方には、前記支持腕部の中間部に貼着される前記水密支持材が配置されるので、水切部材の突合わせる端部同士の間隙から雨水等の水が流れ落ちた場合でも、中央部に貼着される水密支持材によって下方に流下することを防ぐことができる。更にこの中間部の水密支持材と水切腕部と間を通って、支持部材の支持腕部上に水が流れ出たとしても、支持腕部の両側部に水密支持材が設けられているので、水が支持腕部の両側部から下側の外壁パネルの上端面に落ちることがなく、水密支持材同士の間隙である流水間隔を通って屋外側に排出される。
【００２０】
また支持腕部の下面と下側の外壁パネルの上端面との間には、それぞれに水密的に当接する下部水密材が設けられているので、例えば外部から吹き上げる風雨によって、支持腕部の下面に入り込んだか風雨が建物内に侵入することを防ぐことができる。
【００２１】
請求項２に記載の水切り構造によると、請求項１と同様の効果を奏するとともに、支持部材の屋外側に形成される折曲片が外壁パネルに着脱自在に構成されているので、請求項１に記載の水切り構造のように、建物躯体に固定される取付部材が必要なくなる。したがって、部品点数を減らすことができ、安価に構成することができる。また、このように、屋外側で外壁パネルに着脱自在に構成されることで、屋内側の横目地の奥で固定しているような場合と異なり、横目地の間に工具などを差し込む必要もなく、より簡単に水切り構造の設置及びメンテナンス作業をすることができる。
【００２２】
請求項３に記載の水切り構造によると、弾性止水材は、少なくともその上部が管状であるので、例えば上部が２枚の襞状に形成されてその間に溝ができているような場合に比べて、雨水等の水が溜まることがなく弾性止水材が劣化することを抑制できる。
【００２３】
請求項４に記載の水切り構造によると、水切部材には、弾性止水材の裏面に形成している嵌合溝に嵌合する突出片が設けられているので、この突出片を嵌合溝に嵌合させることにより、弾性止水材が経年変化で横目地から外れることを防ぐことができる。
【００２４】
請求項５に記載の水切り構造によると取付部材に固定されている支持部材の固定片と止水ヘラの基端とは、着脱自在に嵌合されるので、例えば止水ヘラが劣化したような場合に止水ヘラのみを交換することができる。
【００２５】
請求項６に記載の水切り構造によると、水切部材の屋内側の端部と水切りヘラの基端とは、着脱自在に嵌合されるので、例えば水切りヘラが劣化したような場合に、水切りヘラのみを交換することができる。
【００２６】
請求項７に記載の水切り構造のメンテナンス方法によると、外壁パネルを取り外すことなく、屋外側から簡単に、弾性止水材を交換するとともに、水切り部材及び支持部材を交換又は補修することができるので、水きり構造を簡単に適切にメンテナンスすることができる。
【発明を実施するための最良の形態】
【００２７】
以下、この発明における水切り構造１について、各図を参照しつつ説明する。水切り構造１は、図１及び図２に示すように、上側外壁パネル２ａと下側外壁パネル２ｂとの間の横目地２ｃにおける水切り構造１であって、住宅等の建物の躯体を構成する軸組３と梁４との間に一端が挿し込まれてボルト２５及びナット２６により固定された取付部材５と、外壁パネル２の屋内側で取付部材５に固定されつつ、屋外方向に突出してその先端に係止爪６を具備する支持部材７と、支持部材７の上面に貼着される水密支持材２８と、この支持部材７と下側外壁パネル２ｂとの間に設けられる下部水密材２９と、支持部材７の上側に配設され、一端側が係止爪６に係合される被係止爪８を有する水切部材９と、この水切部材９と上側外壁パネル２ａの下面との間隙に沿って屋外側から押し込まれる弾性止水材１０と、を備える。
【００２８】
取付部材５は、図１、図２、及び図３に示すように、断面略Ｌ字状に形成されたアルミ材であり、一端側には、取付孔２７が設けられており、Ｈ鋼で形成された梁４の下側のフランジと、梁４の下側に形成される軸組３との間に挿入されて、取付孔２７に押入されたボルト２５及びナット２６で固定されている。この取付部材５の他端は、軸組３と外壁パネル２との間に垂れ下がって横目地２ｃに面している垂れ部１３を形成しており、この垂れ部１３には横目地２ｃ方向からビス１１を螺着可能な貫通孔１２が設けられている。なお、本実施形態においては、取付部材５は梁４の下側のフランジと軸組３との間で固定されているが、梁４の上側のフランジとその上に設けられた軸組３との間に固定されるものであってもよく、そのほか建物の躯体に強固に固定できるその他の形状であっても良い。このように水切り構造１を建物に取付ける部材である取付部材５が建物の躯体に強固に固定されているので、水切り構造１は建物に強固に固定される。
【００２９】
支持部材７は、取付部材５の垂れ部１３に密接する固定片１４と、この固定片１４の中間位置から外壁パネル２の横目地２ｃを通って屋外方向に向かって下方に傾斜しつつ延出し、その屋外側の端部が下向きに折曲した折曲片１５ａを有する支持腕部１５と、固定片１４の上端に形成した嵌め込み溝１４ａにその基端部１６ａが嵌込み固定され、その先端が上側外壁パネル２ａの屋内側面に当接する例えば弾性を有するゴム又は樹脂で形成された止水ヘラ１６と、支持腕部１５の折曲片１５ａから突出して設けられ、先端が斜め上方に折り返された形状の係止爪６と、を具備する。固定片１４には、垂れ部１３の貫通孔１２に合致する固定孔１７が設けられており、この固定孔１７と貫通孔１２とに横目地１２ｃ側からビス１１を螺着させることにより、取付部材５に支持部材７は固定される。また、固定片１４には、その中間部に屋外方向に開口した保持溝３０が形成されており、水切部材９の一端を保持可能となっている。
【００３０】
この支持部材７の横目地２ｃの横方向の長さは例えば１０センチメートル程度であり、支持腕部１５の上面には例えば幅２センチメートル程度の水密支持材２８が屋内外方向を長手方向として、その中間部及び両側部に貼着されている。これにより中間部水密支持材２８ａと、両側の側部水密支持材２８ｂとの間にはそれぞれ３センチメートル程度の流水間隔３２が開いており、支持腕部１５の上面にこのような流水間隔３２を設けることで、支持腕部１５に侵入した雨水等を屋外側に排出することができる。このように構成される支持部材７は外壁パネル２の横目地２ｃに沿って所定間隔で複数固定されており、この上方に設置される水切部材９を安定的且つ長期的に保持することができる。
【００３１】
下部水密材２９は、例えばゴムやシリコン等の弾性体で形成され、間隙に水密よく収まることができる部材であって、支持部材７の支持腕部１５と下側外壁パネル２ｂの上端面との間に収まって、両部材１５、２ｂに水密よく当接し、この間隙を封止している。
【００３２】
水切部材９は、図１、図２、及び図４に示すように、横目地２ｃに沿って形成されるものであって、屋外側の端部に支持部材７の係止爪６に係止される被係止爪８と、屋内側の端部に形成され、支持部材７の固定片１４に設けられた保持溝３０に保持される被保持突条３１と、この被保持突条３１から横目地２ｃを通って屋外側に突出するとともに水密支持材２８の上面に密着する水切腕部２０と、被保持突条３１の手前側に設けられ、その基端部１８ａが水切腕部２０の上面に形成されたヘラ固定部２０ａに着脱自在に固定され、その先端側が上側外壁パネル２ａに水密的に当接する弾性体で形成された水切りヘラ１８と、ヘラ固定部２０ａ付近から屋外方向に突出する先端がやや膨らんで形成された突出片１９と、が設けられている。
【００３３】
被係止爪８は、係止爪６に上側から噛み合う形状であって、この被係止爪８と係止爪６との係合、及び被保持突条３１と保持溝３０との嵌合により、水切部材９は支持部材７に支持される。この水切部材９の横目地２ｃ方向の長さは例えば１メートルであり、横目地２ｃに沿って、複数の水切部材９がその端部同士を相互に突合わせて並設されている。そして、この水切部材９の突合わせた端部、及び水切部材９の中央の下方には水密支持材２８を挟んで支持部材７が配置されている。このうち水切部材９の突合わせた端部の下側には中央部水密支持材２８ａが当該端部に沿って配置されており、水切部材９の突合わされる端部同士の間隙から雨水などが下方に漏れるような場合にも、この中央部水密支持材２８ａによって雨水が支持部材７に流れ出ることを防いでいる。また、たとえ雨水等が、支持部材７の支持腕部１５にまで侵入したとしても、支持腕部１５上面の両側部には側部水密支持材２８ｂが設けられているので、中央部水密支持材２８ａと側部水密支持材２８ｂとの間の流水間隔３２を通って、支持腕部１５の側方に雨水等が流れ落ちることはなく、雨水等を屋外側に排出することができる。
【００３４】
弾性止水材１０は、図１、図２、及び図５に示すように、例えば弾性体のゴムや樹脂で形成された長尺のシール材であって、上側外壁パネル２ａの下端面と、水切部材９の水切腕部２０と、の間に、横目地２ｃに沿って屋外側から押し込まれている。この弾性止水材１０の屋外側となる面には、化粧材２１が取付けられており、屋内側は、水切部材９の水切腕部２０に水密良く当接する襞部２２が２重に設けられており、上側外壁パネル２ａの下端面に水密的に当接する上部は内部に空洞が形成された管状の凸部２３が形成されている。そして、この襞部２２と凸部２３との間の屋内側となる面には、水切部材９の突出片１９を嵌め合わせることができる形状の嵌合溝２４が設けられている。この嵌合溝２４と突出片１９とを嵌め合わせることで、弾性止水材１０が経年変化したような場合にも、横目地２ｃから外れることを防ぐことができる。
【００３５】
なお、この弾性止水材１０は内部に金属などの芯材が入ったものを用いることもできるが、好ましくは芯材が入っておらず輸送時に渦巻状に保持できるものがよい。渦巻状に保持できる弾性止水材１０を用いると、相当長い形状のものであってもかさ張らずに輸送することができるので、横目地の全周に繋ぎ目の無い一本の弾性止水材１０を押し込むことができ、これにより、弾性止水材１０の繋ぎ目から雨水などが侵入することを防ぐことができる。
【００３６】
このように弾性止水材１０の屋内側の上部に、管状の凸部２３が設けられることにより、弾性止水材１０の上部に雨水などの水が溜まることが無い。したがって、弾性止水材１０の劣化を抑制することができ、より長期的に止水性能を維持することができる。
【００３７】
以上のように、水切り構造１は、弾性止水材１０による一次防水と、水切部材９の水切りヘラ１８による二次防水の２重の防水を施しているので、より防水性を高めることができる。また、水切りヘラ１８は、上側外壁パネル２ａの屋内側面に水密的に当接しているので、互いに隣接する上側外壁パネル２ａの図示しない縦目地から雨水が侵入したような場合にも、縦目地と横目時２ｃとの交差部分で、水切りヘラ１８により防水することができる。
【００３８】
次に、以上のように構成される水切り構造１を補修又は交換する場合について説明する。この水切り構造１において、建物の梁４と軸組３との間に挿入されて固定される取付部材５は、外壁パネル２の屋内側に配設されるので風雨に晒されることがなく、殆どメンテナンスを必要としない。そこで、水切り構造１を補修又は交換する場合には、この取付部材５を除く部材を外壁パネル２の横目地２ｃから取り外して行う。まず、図６に示すように、弾性止水材１０を上側外壁パネル２ａの下端面と水切部材９の水切腕部２０との間から引き剥がす。この時、例えばカッターなどを横目地２ｃの間から挿入して、弾性止水材１０の化粧材２１及び襞部２２の一部を切断すると引き剥がし易くなる。
【００３９】
そして、次に、図７に示すように、水切部材９の被係止爪８を支持部材７の係止爪６から取り外して、水切部材９を屋外方向に取り外す。このとき、保持溝３０に保持されている被保持突条３１も、水切部材９を屋外方向に引き出すことにより保持溝３０から離脱する。そして、水切りヘラ１８は弾性変形するので、上側外壁パネル２ａに水切りヘラ１８が引っ掛かって水切部材９が取り外せないといったことも無い。
【００４０】
次に、図８に示すように、取付部材５の垂れ部１３と支持部材７の固定片１４とを接続しているビス１１を、横目地２ｃから挿入したドライバーによって、貫通孔１２及び固定孔１７から取り外す。そして、図９に示すように、支持部材７を屋外方向に引っ張って取り外す。この時、止水ヘラ１６は弾性変形するので、上側外壁パネル２ａに止水ヘラ１６が引っ掛かって支持部材７が取り外せないといったことも無い。
【００４１】
上述のようにして、弾性止水材１０、支持部材７、及び水切部材９を取り外した後、弾性止水材１０を新しいものと交換し、支持部材７及び水切部材９を例えば止水ヘラ１６及び水切りヘラ１８を交換するなどのメンテナンスを行い、その後、支持部材７、水切部材９、及び弾性止水材１０を横目地２ｃに取付けなおす。具体的には、支持部材７をその上面に貼着された水密支持材２８とともに外壁パネルの横目地２ｃに屋外側から挿入して固定片１４の固定孔１７及び取付部材５の貫通孔１２にビス１１を挿入して固定し、次いで、水切部材９を横目地２ｃに屋外側から挿入して、保持溝３０に被保持突条３１を保持させつつ被係止爪８を係止爪６に係合させ、更に、交換した新たな弾性止水材１０を上側外壁パネル２ａの下端と水切腕部２０との間隙に横目地２ｃの屋外側から押し込む。
【００４２】
このように、本実施形態の水切り構造１は、修繕や交換等のメンテナンスが必要な支持部材７、水切部材９、及び弾性止水材１０を、極めて簡単に取り外し及び取り付けするができる。したがって、外壁パネル２を取り外すような大掛かりな工事をすること無しに水切り構造１のメンテナンスをすることができる。
【００４３】
なお、本発明の実施の形態は上述の形態に限ることなく、本発明の思想の範囲を逸脱しない範囲で適宜変更することができることは云うまでもない。
【００４４】
本実施形態においては、止水ヘラ１６及び水切りヘラ１８は、それぞれ支持部材７及び水切部材９の端部で嵌込み固定されるものとしたが、これでなくても良い。例えば、図１０に示すように止水ヘラ１６及び水切りヘラ１８が、それぞれ支持部材７及び水切部材９の端部で接着固定されるものであっても良い。
【００４５】
また、本実施形態係る水切り構造１は、住宅等の建物の躯体を構成する軸組３と梁４との間に一端が挿し込まれてボルト２５及びナット２６により固定された取付部材５を有し、支持部材７がこの取付部材５に外壁パネル２の屋内側で固定されつつ、屋外方向に突出する構成としたが、これに限定されるものではない。例えば、図１１及び図１２に示すように、支持部材７は、その支持腕部１５の折曲片１５ａが下側外壁パネル２ｂに固定されるものであっても良い。すなわち、例えば折曲片１５ａはネジ３３を挿入することができる挿入孔３４を有し、下側外壁パネル２ｂの屋外側面に形成されたネジ孔３５にネジ固定することで、支持部材７が着脱自在に固定される構成であってもよい。
【００４６】
このように構成すると、取付部材５が必要なくなるので部品点数を減らすことができるとともに、下側外壁パネル２ｂの屋外側に固定されているので、横目地２ｃの奥で固定される場合に比べて、作業がより容易なものとなる。
【産業上の利用可能性】
【００４７】
本発明に係る水切り構造１は、耐用年数が１００年から２００年にも及ぶ超長期にわたって利用できる住宅における水切り構造１として、好適に用いることができる。
【図面の簡単な説明】
【００４８】
【図１】水切り構造の全体構成を示す断面図。
【図２】水切り構造の全体構成を示す一部省略斜視図。
【図３】取付部材及び支持部材の構成を示す一部省略斜視図。
【図４】水切部材の構成を示す一部省略斜視図。
【図５】弾性止水材の構成を示す一部省略斜視図。
【図６】水切り構造から弾性止水材を取り外す状態を示す図。
【図７】水切り構造から水切部材を取り外す状態を示す図。
【図８】支持部材を取付部材に固定するビスを取り外す状態を示す図。
【図９】水切り構造から支持部材を取り外す状態を示す図。
【図１０】別の実施形態の水切り構造の全体構成を示す断面図。
【図１１】取付部材を用いない実施形態の水切り構造の全体構成を示す断面図。
【図１２】取付部材を用いない実施形態の水切り構造の外壁パネルへの取付状態を示す一部省略拡大断面図。
【図１３】従来の水切り構造の一例を示す断面図。
【符号の説明】
【００４９】
１      水切り構造
２      外壁パネル
２ｃ    横目地
４      梁（躯体）
５      取付部材
６      係止爪
７      支持部材
８      被係止爪
９      水切部材
１０    弾性止水材
１５ａ  折曲片
１６    止水ヘラ
１８    水切りヘラ
１９    突出片
２４    嵌合溝
２８    水密支持材
２９    下部水密材
３０    保持溝（保持部）
３１    被保持突条（被保持部）
３２    流水間隔
【図１】
2010019006.tif 000003
【図２】
2010019006.tif 000004
【図３】
2010019006.tif 000005
【図４】
2010019006.tif 000006
【図５】
2010019006.tif 000007
【図６】
2010019006.tif 000008
【図７】
2010019006.tif 000009
【図８】
2010019006.tif 000010
【図９】
2010019006.tif 000011
【図１０】
2010019006.tif 000012
【図１１】
2010019006.tif 000013
【図１２】
2010019006.tif 000014
【図１３】
2010019006.tif 000015